(57)【要約】【課題】蛍光の減衰時定数が小さい蛍光材料、セラミックシンチレータおよび放射線検出器、並びに蛍光材料の製造方法を提供する。【解決手段】蛍光材料は、（Ｇｄ1-α-βＬαＣｅβ）3+a（Ａｌ1-u-vＧａuＳｃv）5-bＯ12で表される組成を有し、前記ＬはＹおよびＬｕの少なくとも一方であり、前記ａ、ｂ、α、β、ｕ、ｖが下記範囲を満足する。０≦ａ≦０．１、０≦ｂ≦０．１、０≦α≦０．９、０．０１６７＜β、０≦ｕ≦０．６８６、０≦ｖ≦０．０２４【選択図】なし【特許請求の範囲】
【請求項１】
（Ｇｄ1-α-βＬαＣｅβ）3+a（Ａｌ1-u-vＧａuＳｃv）5-bＯ12で表される組成からなり、
前記ＬはＹおよびＬｕの少なくとも一方であり、
前記ａ、ｂ、α、β、ｕ、ｖが下記範囲を満足する蛍光材料。
０≦ａ≦０．１、
０≦ｂ≦０．１、
０≦α≦０．９、
０．０１６７＜β、
０≦ｕ≦０．６８６、
０≦ｖ≦０．０２４
【請求項２】
前記ＬはＬｕであって、０．０３３≦β≦０．１、
又は、前記ＬはＹであって、０．６９≦α、かつ、０．０１６７＜β≦０．１、
のいずれかを満たす請求項１に記載の蛍光材料。
【請求項３】
前記ＬがＹであって、０．０６６≦β≦０．１、
又は、０．５８≦ｕ≦０．６９、
のいずれかを満たす請求項２に記載の蛍光材料。
【請求項４】
請求項１から３のいずれかに記載の蛍光材料を含み、相対密度が９９％以上であるセラミックシンチレータ。
【請求項５】
請求項４に記載のセラミックシンチレータと、
光を電気信号、電流値または電圧値のいずれかに変換する光電変換素子と
を備えた放射線検出器。
【請求項６】
（Ｇｄ1-α-βＬαＣｅβ）3+a（Ａｌ1-u-vＧａuＳｃv）5-bＯ12で表され、ａ、ｂ、α、β、ｕ、ｖが下記範囲を満足する比率で、Ｇｄと、ＬｕおよびＹの少なくとも一方である前記Ｌと、Ｃｅと、Ａｌと、Ｇａと、Ｓｃとをそれぞれ含む素原料を用意する工程と、
０≦ａ≦０．１、
０≦ｂ≦０．１、
０≦α≦０．９、
０．０１６７＜β、
０≦ｕ≦０．６８６、
０≦ｖ≦０．０２４
前記素原料を混合及び粉砕し、原料粉末を得る工程と、
前記原料粉末を成形し、成形体を得る工程と、
前記成形体を酸素雰囲気中、１６５０℃〜１７００℃の温度で焼結させる工程と、
を包含する蛍光材料の製造方法。
【発明の詳細な説明】
【技術分野】
【０００１】
本開示は、Ｇｄ、Ａｌ、Ｇａを含む組成を有するガーネット型酸化物の蛍光材料、セラミックシンチレータおよび放射線検出器並びに蛍光材料の製造方法に関する。
【背景技術】
【０００２】
放射線画像システムは、被写体にα線、β線、γ線、Ｘ線等の放射線を照射し、被写体を透過した放射線を画像化する。放射線画像システムは断層撮影などの医療分野、非破壊検査などの工業分野、手荷物検査などのセキュリティ分野、高エネルギー物理学などの学術分野等の多様な応用分野で利用されている。
【０００３】
現在、主として商業的に利用されている放射線画像システムは、放射線の強度を電気信号に変換する放射線検出器が用いられている。放射線検出器には、放射線の強度を光に変換する為のシンチレータと、光を電気信号に変換する為のＣＣＤ等の光検出器とを含む。例えば特許文献１では、Ｃｅを発光元素とし、少なくともＧｄ、Ａｌ、ＧａおよびＯ、およびＹを含んだガーネット構造の蛍光材料を用いたＸ線検出器用のシンチレータが開示されている。放射線はシンチレータに入射すると、光に変換され、変換された光は光検出器によって、電気信号に変換される。これにより信号強度に応じた階調の画像が生成する。
【０００４】
種々の分野において、より高精細、かつ、より低放射線量で画像を取得できる放射線画像システムが求められている。このような放射線画像システムとして、光子の数を計測することができるフォトンカウンターを用いて、放射線を検出するフォトンカウンティング型の放射線検出器が検討されている。例えば、特許文献２は、放射線の強度を電気信号として直接検出することが可能なＣｄＴｅシンチレータを用いたＸ線ＣＴ装置を開示している。フォトンカウンティングによって放射線の強度をフォトンの数として検出することにより、Ｓ／Ｎ比が大きく、高解像度の画像が得られることが期待されている。また、測定に用いる放射線の強度を小さくできるため、低放射線量で測定が可能である。さらに、放射線のエネルギーを分解して強度を測定することが可能であるため、生体中の骨と血液を区別するなど組織を分解して描画する画像システムを得ることが可能となる。
【先行技術文献】
【特許文献】
【０００５】
【特許文献１】特許５７２９３５２号公報
【特許文献２】特開２０１２−３４９０１号公報
【発明の概要】
【発明が解決しようとする課題】
【０００６】
特許文献２に開示されたＸ線ＣＴ装置は、放射線検出器としてＣｄＴｅシンチレータを用いる。ＣｄＴｅシンチレータは比較的高価であり、毒性を有する。また、大型のＣｄＴｅ単結晶を得ることが容易ではないため、放射線の検出面を大きくすることが難しい。
【０００７】
一方、特許文献１のように、間接変換方式の場合、放射線照射中の発光強度が高く、照射後の数ｍｓ後の特性である残光が小さいシンチレータが用いられる。しかし、以下において詳細に説明するように、従来の放射線検出器用の蛍光材料では、残光よりも１桁以上小さい、つまり、放射線照射後の数百μｓ後の特性である蛍光の減衰時定数は考慮されていない。このためフォトン数を計測するためのシンチレータとして用いることは難しい。したがって、製造コストおよび商業的な利用を考慮すると、シンチレータとして単結晶では無く、多結晶のセラミックシンチレータと光検出素子との組み合わせによって放射線を検出する間接方式のフォトンカウンティング型放射線検出器の開発が望まれる。
【０００８】
本開示は、この様な課題に鑑み、フォトンカウンティング型の放射線検出器に使用可能な蛍光材料、セラミックシンチレータおよび放射線検出器、並びに蛍光材料の製造方法を提供する。
【課題を解決するための手段】
【０００９】
本開示の蛍光材料は、（Ｇｄ1-α-βＬαＣｅβ）3+a（Ａｌ1-u-vＧａuＳｃv）5-bＯ12で表される組成からなり、前記ＬはＹおよびＬｕの少なくとも一方であり、前記ａ、ｂ、α、β、ｕ、ｖが下記範囲を満足する。
０≦ａ≦０．１、
０≦ｂ≦０．１、
０≦α≦０．９、
０．０１６７＜β、
０≦ｕ≦０．６８６、
０≦ｖ≦０．０２４
【００１０】
前記βは下記範囲を満足していてもよい。
０．０３３≦β≦０．１
【００１１】
前記ＬはＹであり、前記αは下記範囲を満足していてもよい。
０．７≦α≦０．９
【００１２】
本開示のセラミックシンチレータは、上記いずれかに記載の蛍光材料を含み、相対密度が９９％以上である。
【００１３】
本開示の放射線検出器は、上記セラミックシンチレータと、光を電気信号、電流値または電圧値のいずれかに変換する光電変換素子とを備える。
【００１４】
本開示の蛍光材料の製造方法は、（Ｇｄ1-α-βＬαＣｅβ）3+a（Ａｌ1-u-vＧａuＳｃv）5-bＯ12で表され、ａ、ｂ、α、β、ｕ、ｖが下記範囲を満足する比率で、Ｇｄと、ＬｕおよびＹの少なくとも一方である前記Ｌと、Ｃｅと、Ａｌと、Ｇａと、Ｓｃとをそれぞれ含む素原料を用意する工程と、
０≦ａ≦０．１、
０≦ｂ≦０．１、
０≦α≦０．９、
０．０１６７＜β、
０≦ｕ≦０．６８６、
０≦ｖ≦０．０２４
【００１５】
前記素原料を混合及び粉砕し、原料粉末を得る工程と、前記原料粉末を成形し、成形体を得る工程と、前記成形体を酸素雰囲気中、１６５０℃〜１７００℃の温度で焼結させる工程とを包含する。
【発明の効果】
【００１６】
本開示によれば、蛍光の減衰時定数が小さく、フォトンカウンティング型の放射線検出器に使用可能な蛍光材料、及び蛍光材料の製造方法が得られる。また、このような特性を備えた蛍光材料を含み、大面積化が可能なセラミックシンチレータおよび放射線検出器が得られる。
【図面の簡単な説明】
【００１７】
【図１】（Ｇｄ1-α-βＬαＣｅβ）3+a（Ａｌ1-u-vＧａuＳｃv）5-bＯ12組成式で示される蛍光材料であって、ＬがＬｕである場合における、Ｃｅ量βと蛍光の減衰時定数τとの関係を示す図である。
【図２】（Ｇｄ1-α-βＬαＣｅβ）3+a（Ａｌ1-u-vＧａuＳｃv）5-bＯ12組成式で示される蛍光材料であって、ＬがＹである場合における、Ｃｅ量βと蛍光の減衰時定数τとの関係を示す図である。
【図３】（Ｇｄ1-α-βＬαＣｅβ）3+a（Ａｌ1-u-vＧａuＳｃv）5-bＯ12組成式で示される蛍光材料であって、Ｙ量αと蛍光の減衰時定数τとの関係を示す図である。
【図４】（Ｇｄ1-α-βＬαＣｅβ）3+a（Ａｌ1-u-vＧａuＳｃv）5-bＯ12組成式で示される蛍光材料であって、Ｇａ量ｕと蛍光の減衰時定数τとの関係を示す図である。
【図５】（Ｇｄ1-α-βＬαＣｅβ）3+a（Ａｌ1-u-vＧａuＳｃv）5-bＯ12組成式で示される蛍光材料であって、Ｓｃ量ｖと蛍光の減衰時定数τとの関係を示す図である。
【図６】（Ｇｄ1-α-βＬαＣｅβ）3+a（Ａｌ1-u-vＧａuＳｃv）5-bＯ12組成式で示される蛍光材料であって、ＬがＬｕである場合における、Ｃｅ量βと相対発光強度との関係を示す図である。
【図７】（Ｇｄ1-α-βＬαＣｅβ）3+a（Ａｌ1-u-vＧａuＳｃv）5-bＯ12組成式で示される蛍光材料であって、ＬがＹである場合における、Ｃｅ量βと相対発光強度との関係を示す図である。
【図８】（Ｇｄ1-α-βＬαＣｅβ）3+a（Ａｌ1-u-vＧａuＳｃv）5-bＯ12組成式で示される蛍光材料であって、Ｙ量αと相対発光強度との関係を示す図である。
【図９】（Ｇｄ1-α-βＬαＣｅβ）3+a（Ａｌ1-u-vＧａuＳｃv）5-bＯ12組成式で示される蛍光材料であって、Ｇａ量ｕと相対発光強度との関係を示す図である。
【図１０】（Ｇｄ1-α-βＬαＣｅβ）3+a（Ａｌ1-u-vＧａuＳｃv）5-bＯ12組成式で示される蛍光材料であって、Ｓｃ量ｖと相対発光強度との関係を示す図である。
【図１１】実施例の蛍光材料の発光スペクトルの例を示す図である。
【発明を実施するための形態】
【００１８】
本願発明者は、フォトンカウンティング型の放射線検出器に使用可能な蛍光材料、セラミックシンチレータに必要な物性を検討し、その物性を実現し得る蛍光材料の組成を詳細に検討した。
【００１９】
従来の強度積分型の放射線検出器は、マイクロ秒からミリ秒オーダーの所定の時間間隔（この時間間隔を１フレームとよぶ）で放射線を対象物に照射し、対象物を透過した放射線が入射することによってシンチレータが発する蛍光を光検出器で検出し、電気信号に変換する。放射線は、上述の所定の時間間隔よりも短い期間、対象物に照射される。
【００２０】
シンチレータの蛍光材料は、放射線の照射時に強い蛍光を発するが、放射線照射が停止した後、すぐに蛍光はゼロとはならず、弱い蛍光が持続する。これを残光と呼ぶ。残光は例えば、放射線照射中の発光強度Ｉ0と、放射線照射停止から一定時間経過後の発光強度Ｉrとを用い、Ｉr/Ｉ0（ｐｐｍ）で定義される。一定時間とは、光検出器からの信号処理速度や、被対象物の被爆なども考慮してミリ秒（ｍｓ）のオーダーが選ばれる。
【００２１】
放射線画像システムは、ノイズ等による影響を低減するため、各フレームにおいて、放射線の照射時に放射線検知器から得られた電気信号から、放射線の照射停止時に放射線検知器から得られた電気信号を差し引いた信号を、検出した放射線の強度として処理する。このため、残光が大きいと、相対的に検出した放射線強度が小さくなる。このことから、従来の強度積分型の放射線検出器では、蛍光材料の残光は小さいことが好ましい。
【００２２】
これに対し、フォトンカウンティング型の放射線検出器は、蛍光材料の極めて短時間の発光（フォトン）の数を計測することが可能な光電子増倍管、マルチピクセルフォトンカウンター（シリコンフォトマルチプライヤー）などを備え、発光の数をパルス信号とし読み出す。フォトンカウンティング型の放射線検出器では、発光強度に一定の閾値を設けて読み出しを行うため、蛍光材料の発光強度は上述した従来の強度積分型の放射線検出器に求められる蛍光材料ほど大きくなくてよい。また、残光が生じていても、残光の強度が上述した閾値以下であれば、残光が検出されることはないため、残光の有無は発光の検出に大きな影響を与えない。
【００２３】
一方、フォトンカウンティング型の放射線検出器を備えた放射線画像システムでは、発光の数が放射線の強度に比例するため、蛍光の減衰時間が長いと、発光が重複し、正確な発光の数が検出できない。このため、フォトンカウンティング型の放射線検出器に用いられるシンチレータおよび蛍光材料は、非常に短い時間で傾向が減衰すること、具体的には、ナノ秒前後のオーダーの時間で発光強度が１／ｅ程度まで減衰する特性が求められる。このように、フォトンカウンティング型の放射線検出器に好適に用いられる蛍光材料には、従来の放射線検出器用の蛍光材料とは全く異なる特性が求められる。
【００２４】
フォトンカウンティング型に類似の放射線検出器を用いた画像システムとして、陽電子断層画像（Positron Emission Tomography）システムが実用化されている。陽電子断層画像システムでは、γ線を高い時間分解能および位置分解能で検出することが必要である。陽電子断層画像システムには、Ｇｄ2ＳｉＯ5：Ｃｅ（ＧＳＯ）、Ｂｉ4Ｇｅ3Ｏ12（ＢＧＯ）、Ｌｉ2ＳｉＯ5：Ｃｅ（ＬＳＯ）、Ｌｕ2-xＹＳｉＯ5（ＬＹＳＯ）などの単結晶酸化物からなるシンチレータが用いられる。これらの単結晶酸化物は、サブマイクロ秒程度の蛍光の減衰時定数を達成し得るが、フォトンカウンティング型の放射線検出器にはさらに減衰時定数が小さいことが求められる。また、単結晶酸化物であるため、大型のシンチレータを製造することが難しい場合がある。そのため、放射線の検出面が大きく、コスト及び商業的な利用を考慮した、フォトンカウンティング型の放射線検出器を用いた画像システムに、従来のシンチレータを用いることは難しい。
【００２５】
本願発明者は、このような課題に鑑み新規な蛍光材料、セラミックシンチレータおよび放射線検出器、並びに蛍光材料の製造方法を想到した。以下、本開示の蛍光材料、セラミックシンチレータおよび放射線検出器、並びに蛍光材料の製造方法を詳細に説明する。
【００２６】
（蛍光材料の組成および物性）
本開示の蛍光材料は、一般式（以下、一般式（１）と呼ぶ）：（Ｇｄ1-α-βＬαＣｅβ）3+a（Ａｌ1-u-vＧａuＳｃv）5-bＯ12で示される組成からなる。ＬはＹおよびＬｕの少なくとも一方であり、ａ、ｂ、α、β、ｕ、ｖはそれぞれ、以下の範囲を満たしている。
０≦ａ≦０．１
０≦ｂ≦０．１
０≦α≦０．９
０．０１６７＜β
０≦ｕ≦０．６８６
０≦ｖ≦０．０２４
【００２７】
上記一般式（１）において、酸素の組成比は１２であると定めている。これは、本開示の蛍光材料がガーネット型の結晶構造を備えているとし、酸素を基準として組成比を決定しているからである。しかし、本開示の蛍光材料は完全なガーネット構造を備えていなくてもよい。ａおよびｂの値によっては、蛍光材料は、酸素欠損または酸素過剰であるガーネット構造を備えていることもある。つまり、酸素欠損や酸素過剰であるかどうかにかかわらず、酸素の組成比を１２であるとして組成式を定めた場合に、組成式におけるａ、ｂ、α、β、ｕ、ｖがそれぞれの範囲を満たしていればよい。
【００２８】
ガーネット型の酸化物からなる蛍光材料は、放射線に対して安定な金属酸化物である。蛍光材料の発光は、例えばＸ線励起により生成した電子および正孔が発光イオンにおいて結合することにより生じる。Ｇｄ、Ａｌ、Ｇａを含むガーネット型の酸化物において、Ｃｅは発光イオンとして機能する。本開示の蛍光材料の特徴の１つは、従来の強度積分型の放射線検出器に用いられる蛍光材料よりも多くのＣｅを含んでいる点にある。これにより、生成した正孔−電子対がより短い時間でＣｅにおいて結合し、発光する。このため蛍光の減衰時定数が小さくなる。
【００２９】
本開示の蛍光材料は、上記一般式（１）に含まれる元素からなり、それ以外の元素は不可避的不純物を除いて一切含まない。これは、減衰時定数が含まれる元素に依存して変化するため、本開示の元素以外を含む場合、減衰時定数が大きくなることがあるためである。
【００３０】
本開示において、蛍光の減衰時定数τは、励起光であるＸ線の照射停止時刻をゼロとして、Ｘ線照射停止後の蛍光の発光強度がＸ線照射中の蛍光の発光強度に対する強度比で１／ｅ（＝０．３６７９）になる時刻で定義される。より具体的には、例えば、パルスＸ線管を用い、３０ｋＶの管電圧でＸ線を発生させ、蛍光材料にＸ線を照射した場合において、Ｘ線の照射停止後、発光強度が１／ｅに減衰するまでの時間を時定数τと定義する。減衰時定数の単位は時間であるため、残光のように強度比（ｐｐｍ）ではなく、ナノ秒（ｎｓ）などとなる。
【００３１】
一般式（１）におけるＣｅ量を示すβは、０．００１６７＜βを満たしている。βがこの条件を満たすことによって、減衰の時定数τがフォトンカウンティング型の放射線検出器に用いることができる程度に小さくなる。先述したとおり、減衰時定数は材料に含まれる元素に依存して変化するが、一般式（１）のβの条件を満たすことで、現在一般的に入手可能なシンチレータ用の蛍光材料における蛍光の減衰の時定数τの１／１０程度となる。βが０．００１６７以下である場合、十分には小さくならない。一方、βが大きいほど、蛍光の減衰時定数は小さくなるため、減衰の時定数が小さいという観点ではβに上限はない。ただし、βが大きくなり、Ｃｅの含有量が増えるに従い、蛍光材料に粒成長が生じやすく、異相が生じやすくなるため、緻密な焼結体を得ることが困難になる。また、Ｃｅの含有量が増えるに従い、Ｃｅ原子間の距離が小さくなり、エネルギーの回遊（いわゆる濃度消光）による発光強度が低下する。このため、βはβ≦０．１を満たすことが好ましい。
【００３２】
Ｌ元素（ＹまたはＬｕ）の量を示すαは、０≦α≦０．９とする。好ましくは、αは、０．７≦α≦０．８を満たしている。Ｌ元素の量を示すαも蛍光の減衰時定数τと相関があり、上述した範囲内において、αの値が大きいと、蛍光の減衰時定数τは小さくなる。また、αの値が大きくなると、発光強度が低下する。
【００３３】
フォトンカウンティング型の放射線検出器として、ＰＥＴなどに用いられているシンチレータの減衰時定数が約４０ｎｓ程度である。本開示において、Ｌ元素がＬｕであって、つ０．０３３≦β≦０．１、又は、Ｌ元素がＹであって、０．６９≦αかつ０．１６≦β≦０．１、のいずれかを満たすとき、減衰時定数τが４０ｎｓ以下となるため好ましい。さらに、Ｌ元素がＹであって、０．０６６≦β≦０．１、０．５８≦ｕ≦０．６９、のいずれかを満たすとき、減衰時定数τが２０ｎｓ以下となるためさらに好ましい。
【００３４】
Ｇａ量を示すｕは、０≦ｕ≦０．６８６とする。Ｇａ量を示すｕも蛍光の減衰時定数τと相関があり、上述した範囲内において、ｕの値が大きいと、蛍光の減衰時定数τは小さくなる。また、ｕの値が大きくなると、発光強度が低下する。
【００３５】
Ｓｃ量を示すｖは、０≦ｖ≦０．０２４とする。Ｓｃの量は、０≦ｖ≦０．０２４の範囲において、蛍光の減衰時定数τおよび蛍光の発光強度にはあまり影響を与えず、焼結体（セラミック）の結晶粒径に影響を及ぼす。ｖ＝０では異常粒成長が生じて、蛍光材料の密度が低下しやすくなる。このため、ｖ＝０の場合には、組成の均一性を高め、焼結時の精密な温度制御を行うことが好ましい。一方、ｖの値が０．０２４を超えると、発光強度が低下する。
【００３６】
ａ、ｂの範囲は共に、０≦ａ≦０．１、０≦ｂ≦０．１とする。ａとｂとは同じ値をとることが好ましいが、素原料などに含まれるＳｉやＦｅ等の不純物元素の固溶や秤量誤差などにより、異なる値をとる場合もある。ａ≠ｂのときは結晶中に酸素欠陥が生じ易く、発光強度が低下する場合がある。
【００３７】
ａが０未満の負の数であると、ガーネット型結晶構造において希土類元素が占有する（Ｇｄ1-α-βＬαＣｅβ）サイトにイオンの空孔が生成し残光が増加する。また、発光強度が極端に低下する。よってａは０以上とする。工業的な量産においては組成のバラツキを考慮して０＜ａ、０＜ｂ、さらには０．０００１≦ａ、０．０００１≦ｂとすることが好ましい。但し、ａ、ｂが０．１を超えると異相であるペロブスカイト型の結晶構造の相（ＧｄＡｌＯ3）が生成されやすくなる。この異相は本開示の蛍光材料のガーネット型の結晶構造の相と屈折率が異なるため光散乱が生じ発光強度が低下する。
【００３８】
減衰時定数が小さいことに加えて、特に高い発光強度と低い残光特性を同時に満たすためには、ａを０＜ａ≦０．０７、ｂを０＜ｂ≦０．０７の範囲内にすることがより好ましく、さらには０．０００１≦ａ≦０．０５、０．０００１≦ｂ≦０．０５の範囲内にすることが特に好ましい。
【００３９】
本開示の蛍光材料の密度は、以下に説明する相対密度の評価において９９％以上であることが好ましい。相対密度の計算方法は以下の通りである。まず、一般式（１）において、ａ＝０、ｂ＝０、α＝０、β＝０、ｕ＝２／５、ｖ＝０の場合（組成式：Ｇｄ3Ａｌ3Ｇａ2Ｏ12）の格子定数をＩＣＤＤ（International Centre for Diffraction Data）のデータより引用し、それを基準に体積を算出する。次に相対密度を算出しようとする試料の組成式から質量として式量を算出する。そして、体積と式量とから求めた密度を理論密度とする。次に、蛍光材料の実測密度を測定し、前記理論密度で割って相対密度を算出する。相対密度が小さい場合、十分なＸ線の吸収が行われなくなるため、９９％以上が好ましい。また、Ｇｄ元素をαの値に基づいてＬ元素に置換するために、ａ＝０、ｂ＝０、α＝０、β＝０、ｕ＝２／５、ｖ＝０の格子定数を基準に算出しており、場合によっては、相対密度は１００％を超えることもある。ただし、大きく超える場合、結晶構造が変わってしまっている可能性が高い。本開示の実施例からは相対密度は１０２．５％以下であればガーネット構造を備えていることをＸＲＤ（Ｘ−Ｒａｙ Ｄｉｆｆｒａｃｔｉｏｎ）によって確認している。
【００４０】
本開示の蛍光材料は、硫黄を含まない。このためＧｄ2Ｏ2Ｓ系の蛍光材料と異なり、硫化物を原料として用いないことにより、高い密度の焼結体を得ることができ、これによって光の透過率が上がり高い発光強度を実現し得る。
【００４１】
本開示の蛍光材料は、５３０ｎｍ程度以上５７５ｎｍ程度以下の範囲に発光スペクトルのピークを有する。ピーク波長は、例えば、Ｇａ量を示すｕを変化させることにより調整することができる。本開示の蛍光材料の発光スペクトルにおけるピーク波長は、上述した、ＧＳＯ、ＢＧＯ、ＬＳＯ、ＬＹＳＯなどの単結晶酸化物のピーク波長より長く、長波長側（赤色側）にシフトしている。このため、特に、Ｓｉアバランシェフォトダイオード等、赤外および近赤外の光に高い感度を有する光検出器と組み合わせることによって、フォトンカウンティング型の放射線検出器を実現することが可能である。
【００４２】
（蛍光材料の製造方法）
本開示による蛍光材料の製造方法の一例を説明する。まず、一般式（１）で表される比率で、Ｇｄと、ＬｕおよびＹの少なくとも一方と、Ｃｅと、Ａｌと、Ｇａと、Ｓｃとを含む素原料を用意する。具体的には、ガドリニウム、イットリウムおよび／またはルテチウム、セリウム、アルミニウム、ガリウムおよびスカンジウムの元素の、酸化物、又は炭酸塩等の素原料を用意し、これらの元素が一般式（１）で示す組成比となるように素原料を秤量する。次に、秤量した素原料に必要に応じて溶媒を加え、ボールミル等で混合及び粉砕する。混合物を乾燥させることによって原料粉末を得る。原料粉末を適当な篩で造粒し、プレス成形することによって成形体を得る。その後、成形体を酸素雰囲気中、１６５０℃〜１７００℃の温度で、０．５〜１２時間保持することによって焼結する。これにより、多結晶の蛍光材料が得られる。本開示による蛍光材料の製造方法において、得られた蛍光材料における元素比は、用いた素原料の元素の比から大きくずれることは無い。このため、素原料における、Ｇｄと、ＬｕおよびＹの少なくとも一方と、Ｃｅと、Ａｌと、ＧａとＳｃとの比を得られた蛍光材料の組成比とすることができる。
【００４３】
上記製造方法の他、本開示の蛍光材料は、無機塩法などによって製造することも可能である。
【００４４】
本開示の蛍光材料は、一般的なセラミックと同様の工程によって作製することが可能であるため、低コストで生産性に優れた蛍光材料であり、かつ、大面積のセラミックシンチレータを比較的容易に作製することが可能である。そのため、本開示のセラミックシンチレータを用いることにより、単結晶シンチレータと異なり、大量の蛍光材料を配列したり、大面積のセラミックシンチレータを加工することで、放射線の検出面が大きな放射線検出器を容易に得ることができる。
【００４５】
（蛍光材料を用いた実施形態）
［セラミックシンチレータ］
得られた多結晶の蛍光材料を、例えば、内周スライサーで適当な厚さの板として切断し、酸素雰囲気中、例えば１２５０℃〜１３５０℃の温度で、０．５〜１２時間保持することによって熱処理を施す。その後、表面に光学研磨を施すことによって、セラミックシンチレータが得られる。焼結によって得られた蛍光材料が所望の形状を有している場合には、上述した熱処理および光学研磨を施すことによって、セラミックシンチレータを得ることが可能である。
【００４６】
［放射線検出器］
本開示のセラミックシンチレータと、高感度に光を計測可能な光電子増倍管や、マルチピクセルフォトンカウンター（シリコンフォトマルチプライヤー）などの光検出器とを組み合わせることによって、放射線検出器を構成することができる。例えば、放射線検出器は、受光面を備える光電子増倍管、マルチピクセルフォトンカウンター等の光検出器と、前記光検出器の受光面に配置されたセラミックシンチレータとを備える。セラミックシンチレータには、上述した本開示のセラミックシンチレータを用いることができる。光検出器は、好ましくは光に対して高感度であり、極めて短時間の発光を計測可能である。さらに好ましくは５３０ｎｍ程度以上６００ｎｍ程度以下の波長範囲において、検出感度を有する。上述したように、シンチレータを構成している蛍光材料における蛍光の減衰定数は小さい。このため、高時間分解能な光検出器と組み合わせて、放射線を検出することが可能であり、フォトンの数が計測可能な光電子増倍管、マルチピクセルフォトンカウンター等と好適に組わせることが可能である。
【００４７】
（実施例）
種々の組成の蛍光材料を作製し、特性を調べた結果を説明する。
【００４８】
[試料作製条件１]
Ｌ元素にＬｕを用い、表１に示すようにＣｅ量を異ならせた試料１〜４を作製し、Ｃｅ量と蛍光の減衰時定数τおよび発光強度との関係を調べた。容量１リットルの樹脂製ポットに表１の組成になるように２００ｇの素原料（酸化ルテチウム、酸化ガドリニウム、酸化セリウム、酸化アルミニウム、酸化ガリウムおよび酸化スカンジウム）を秤量し、直径５ｍｍの高純度アルミナボール１２５０ｇおよびエタノール２００ｍｌをいっしょに入れ、ボールミルを用いて４０時間混合及び粉砕を行った後乾燥した。この原料粉末を目開き１５０μｍの篩で造粒をした後、５００ｋｇ／ｃｍ2の圧力で一軸プレス成形し、さらに３０００ｋｇ／ｃｍ2の加圧力で冷間静水圧プレスを行い、理論密度に対して相対密度５６％の成形体を得た。この成形体をアルミナこう鉢に入れ、フタをして、１００ｖｏｌ％の酸素雰囲気中、１６５０〜１７００℃の温度で、１２時間の焼結を行い、焼結体を得た。得られた焼結体は、内周スライサーを用いて幅２０ｍｍ、長さ３０ｍｍ、厚さ１．７５ｍｍの板に機械加工後、１００ｖｏｌ％の酸素雰囲気中、１３００℃の温度で、２時間の熱処理を行った。熱処理後、表面に光学研磨を施し、多結晶の蛍光材料のセラミックシンチレータを得た。
【００４９】
【表１】
2018002974.tif 000002
【００５０】
[試料作製条件２]
Ｌ元素にＹを用い、表２に示すようにＣｅ量を異ならせた試料５〜９を作製した。素原料として酸化イットリウムを用いたこと以外は試料作製条件１と同様にして試料５〜９を作製した。
【００５１】
【表２】
2018002974.tif 000003
【００５２】
[試料作製条件３]
Ｌ元素にＹを用い、表３に示すようにＹ量を異ならせた試料１１〜１５を作製した。素原料として酸化イットリウムを用いたこと以外は試料作製条件１と同様にして試料１１〜１５を作製した。
【００５３】
【表３】
2018002974.tif 000004
【００５４】
[試料作製条件４]
Ｌ元素にＹを用い、表４に示すようにＧａ量を異ならせた試料１６〜２１を作製した。素原料として酸化イットリウムを用いたこと以外は試料作製条件１と同様にして試料１６〜２１を作製した。
【００５５】
【表４】
2018002974.tif 000005
【００５６】
[試料作製条件５]
Ｌ元素にＹを用い、表５に示すようにＳｃ量を異ならせた試料２２〜２５を作製した。素原料として酸化イットリウムを用いたこと以外は試料作製条件１と同様にして試料２２〜２５を作製した。
【００５７】
【表５】
2018002974.tif 000006
【００５８】
[特性の測定]
作製した試料１〜９、１１〜２５の蛍光の減衰時定数τを求めた。パルスＸ線管を用い、３０ｋＶの管電圧でＸ線を発生させ、試料１〜９、１１〜２５にＸ線を照射し、Ｘ線の照射停止後、発光強度が１／ｅに減衰するまでの時間を減衰時定数τとして求めた。蛍光の測定には、浜松ホトニクス製蛍光寿命測定器のＱｕａｎｔａｕｒｕｓ−τ（Ｑｕａｎｔａｕｒｕｓ−Ｔａｕ）を用いた。
【００５９】
発光強度は、シリコンフォトダイオード（浜松ホトニクス製Ｓ２２８１）を用いて測定した。Ｇｄ2Ｏ2Ｓ：Ｐｒの発光強度を１００％とした場合の相対値（％）に換算して整理した。減衰時定数τおよび相対発光強度の測定結果を表６に示す。
【００６０】
また、ＬがＬｕである場合およびＹである場合のＣｅ量βと減衰時定数τとの関係をそれぞれ、図１および図２に示す。Ｙ量αと減衰時定数τとの関係を図３に示す。Ｇａ量ｕと減衰時定数τとの関係を図４に示す。Ｓｃ量ｖと減衰時定数τとの関係を図５に示す。
【００６１】
さらに、ＬがＬｕである場合およびＹである場合のＣｅ量βと相対発光強度との関係をそれぞれ、図６および図７に示す。Ｙ量αと相対発光強度との関係を図８に示す。Ｇａ量ｕと相対発光強度との関係を図９に示す。Ｓｃ量ｖと相対発光強度との関係を図１０に示す。
【００６２】
得られた試料１〜９、１１〜２５の実測密度をアルキメデスの原理に基づき、水を使用した液中秤量法によって求めた。相対密度は、実測密度を理論密度で除することによって求めた。いずれの試料も９９％以上の相対密度を有することを確認した。
【００６３】
試料１６および２１のスペクトル（強度の波長分布）を測定した。結果を図１１に示す。測定には、小型分光器（ＯｃｅａｎＯｐｔｉｃｓ社製ＵＳＢ２０００）を用いた。
【００６４】
【表６】
2018002974.tif 000007
【００６５】
[考察]
図１から分かるように、Ｌ元素がＬｕである場合、Ｃｅの含有量βが０．０１６７よりも大きくなれば、蛍光の減衰時定数τは、４０ｎｓよりも小さくなる。また、図２から分かるように、Ｌ元素がＹである場合には、Ｃｅの含有量βが０．１６７よりも大きくなれば、蛍光の減衰時定数τは、４０ｎｓよりも小さくなる。さらにＬ元素がＬｕであってもＹであっても、Ｃｅの含有量βが０．０３３以上であれば、減衰時定数τは４０ｎｓよりも小さくなる。この値は、単結晶のＬＳＯおよびＬＹＳＯと同程度以上であり、βが０．０３３以上であることによって、高時間分解能のセラミックシンチレータおよび放射線検出器が実現し得ることがわかる。
【００６６】
図３に示すように、Ｙの含有量αが増えるにしたがい減衰時定数τが小さくなる。０．７≦αであれば、減衰時定数τは４０ｎｓよりも小さいことが分かる。同様に図４に示すように、Ｇａの含有量ｕが増えるにしたがい、減衰時定数τが小さくなる。これに対し、図５に示すように、Ｓｃの含有量ｖは、減衰時定数τにはあまり影響しない。
【００６７】
図６および図７に示すように、発光強度は、Ｃｅの含有量βが大きくなるにつれて、小さくなる。Ｌ元素がＬｕであってもＹであっても、Ｃｅの含有量βが０．１６７よりも大きいと相対発光強度が７０％以下になる。図８、図９および図１０に示すように、Ｇｄの含有量α、Ｇａの含有量ｕおよびＳｃの含有量ｖは、相対発光強度への影響が小さい。
【００６８】
図１１は、（Ｇｄ0.169Ｙ0.797Ｃｅ0.0332）3.01（Ａｌ0.401Ｇａ0.587Ｓｃ0.012）4.99Ｏ12（試料２０）および（Ｇｄ0.169Ｙ0.797Ｃｅ0.0332）3.01（Ａｌ0.988Ｓｃ0.012）4.99Ｏ12（試料１６）のスペクトルを示す。それぞれ、５３０ｎｍおよび５７５ｎｍにピークを有している。図１１に示した試料以外のスペクトルを測定した結果、一般式（１）で示される組成を有することによって、スペクトルは、５３０ｎｍ程度以上５７５ｎｍ程度以下の範囲にピークを有することが分かった。
【００６９】
以上の結果から、本開示の蛍光材料によれば、一般式（１）の組成を有することにより、減衰時定数τが小さく、フォトンカウンティング型の放射線検出器に使用可能な蛍光材料を得ることが確認できた。
【産業上の利用可能性】
【００７０】
本開示の蛍光材料、セラミックシンチレータおよび放射線検出器、並びに蛍光材料の製造方法は、種々の用途の蛍光材料、セラミックシンチレータおよび放射線検出器に好適に用いられ、例えば、放射線画像システム用のフォトンカウンティング型の放射線検出器に好適に用いられる。
【図１】
2018002974.tif 000008
【図２】
2018002974.tif 000009
【図３】
2018002974.tif 000010
【図４】
2018002974.tif 000011
【図５】
2018002974.tif 000012
【図６】
2018002974.tif 000013
【図７】
2018002974.tif 000014
【図８】
2018002974.tif 000015
【図９】
2018002974.tif 000016
【図１０】
2018002974.tif 000017
【図１１】
2018002974.tif 000018